(57)【要約】      （修正有）【課題】使用者がメンテナンスなどを行う際、簡単に脱着でき、メンテナンスを行う際、水溜部内の汚れた汚水が、キャビネット内に漏水せず、狭いキャビネット内にバケツ等設置して作業を行わなくてもよい排水トラップの提供。【解決手段】排水が流入する流入口１と、排水が流出する流出口２と、流入口１と流出口２を備えた箱体３と、流入口１から箱体３内の適宜高さまで垂下される下限壁９と、箱体３の底面から適宜高さに構成された流出口２までの高さの上限壁１０と、箱体３内の底面から上限壁１０下端までの高さ位置に貯水される水溜部１１と、から構成される排水トラップにおいて、前記箱体３を、上部４及び下部５の２分割構成とするとともに、前記水溜部１１中に配置されるよう体積空間部６を箱体３の上部４に構成した。【選択図】図２
2007327247.tif 000002
【特許請求の範囲】
【請求項１】
排水が流入する流入口１と、
排水が流出する流出口２と、
流入口１と流出口２を備えた箱体３と、
流入口１から箱体３内の適宜高さまで垂下される下限壁９と、
箱体３の底面から適宜高さに構成された流出口２までの高さの上限壁１０と、
箱体３内の底面から上限壁１０下端までの高さ位置に貯水される水溜部１１と、
から構成される排水トラップにおいて、
前記箱体３を、上部４及び下部５の２分割構成とするとともに、前記水溜部１１中に配置されるよう体積空間部６を箱体３の上部４に構成したことを特徴とする排水トラップ。
【請求項２】
前記体積空間部６を、箱体３の上部４に垂下される凹部７から構成したことを特徴とする前記請求項１に記載の排水トラップ。
【請求項３】
前記体積空間部６を、箱体３の上部４から吊り下げられて構成される、金属製の重り８から構成したことを特徴とする請求項１に記載の排水トラップ。
【請求項４】
前記箱体３の上部４に流出口２を構成したことを特徴とする請求項１乃至請求項３のいずれか一つに記載の排水トラップ。
【請求項５】
前記箱体３の上部４と下部５の接続をねじ螺合による接続としたことを特徴する請求項１乃至請求項４のいずれか一つに記載の排水トラップ。
【請求項６】
前記箱体３の上部４と下部５の接続をクイックファスナー１５による接続としたことを特徴する請求項１乃至請求項４のいずれか一つに記載の排水トラップ。
【発明の詳細な説明】
【技術分野】
【０００１】
本発明は、下水からの臭気や害虫の室内側への逆流を防ぐ排水トラップに関するものである。
【背景技術】
【０００２】
従来よく知られた、排水トラップとしては、例えば図９乃至図１２に図示した排水トラップがある。以下に図９乃至図１２に図示した排水トラップの従来例を、図面を参照しつつ説明する。
図９乃至図１１に図示した従来例の排水トラップは、以下に記載する洗面ボウルに取り付けられる。
洗面ボウルは、底部に排水用の排水口を開口する槽体であって、排水口には排水管や下記に記載する排水トラップを接続し、最終的には下水管まで配管される排水設備である。
また、洗面ボウルの下方には、キャビネット部と呼ばれる、扉のついた箱体が構成されることが多く、当該キャビネット内に、洗剤や掃除道具などを内部に収容する構成となっている。
図９乃至図１１に図示した従来例の排水トラップは、以下に記載した箱体と、流入口と、流出口と、下限壁と、上限壁と、水溜部と、封水深と、通水部と、から構成され、前記した洗面ボウルに取り付けられる。
箱体は、自身に流入口、流出口、下限壁、上限壁、水溜部、封水深、通水部、を備える箱状の部材であって、当該従来例では上部と下部の２分割により構成される。そして、当該上部下部の接続は、ねじによる螺合で接続される。
流入口は、前記箱体上部に開口される、上記洗面ボウル内の排水を箱体内に流入させるための開口である。
流出口は、箱体内の排水を箱体外へ排出させる開口であって、箱体上部に構成され、箱体側壁に、側面方向に突出するように構成される。また、当該流出口は排水管に接続されて、排水管が最終的には下水管へと接続される為、箱体内の排水は最終的には下水管へと排出される。
下限壁は、前記流入口から下方へ垂下して構成される筒状部材である。
上限壁は、箱体底面から流出口までの高さ方向の箱体側面壁を指す。また、当該従来例では、箱体下部全ての側壁が上限壁となる。
水溜部は、箱体内に位置する排水を一時的に貯水するための空間であって、内部に後記する封水深、通水部を備える。当該従来例では、箱体下部内に貯水される排水が水溜部として構成される。
封水深は、前記下限壁の下端から上限壁の下端までの高さ方向の貯水空間であって、当該封水深が存在することで、下水からの臭気や害虫が室内側へ逆流することを防止する効果を備える。
通水部は、前記下限壁から箱体底面までの高さ方向の隙間を指し、当該通水空間により、流入口から流入してきた排水が通水空間を通過して流出口方向へ通過することができる。
【０００３】
このように構成された排水トラップは、以下のような排水の流れとなる。
洗面ボウルに排水が発生すると、洗面ボウルの排水口から排水が洗面ボウル外へ排出される。その後、排水口からの排水は、排水トラップの流入口を通過し、排水トラップの箱体内へ流入する。そして、箱体内の下限壁を通過し、水溜部、封水深を通過して下限壁下の通水部を通過して、上限壁へと到達する。そして、上限壁を通過した排水は流出口から箱体外へ排出される。そして、流出口から排出された排水は、流出口から排水管へ排水され、そして下水管へと排出される。
【０００４】
また、図１２に示したような従来の排水トラップも存在する。
図１２に図示した従来例の排水トラップは、以下に記載する洗面ボウルに取り付けられる。
洗面ボウルは、底部に排水用の排水口を開口する槽体であって、排水口には排水管や下記に記載する排水トラップを接続し、最終的には下水管まで配管される排水設備である。
また、洗面ボウルの下方には、キャビネット部と呼ばれる、扉のついた箱体が構成されることが多く、当該キャビネット内に、洗剤や掃除道具などを内部に収容する構成となっている。
図１２に図示した従来例の排水トラップは、以下に記載した、管体と、水溜部と、封水深と、ドレンキャップ（掃除用孔）から構成され、前記した洗面ボウルに取り付けられる。
管体は、内部に水溜部及び封水深を備えるようにＵ字上に屈曲して構成された管体であって、自身に水溜部、封水深、ドレンキャップ（掃除用孔）を備える。
水溜部は、管体内に位置する排水を一時的に貯水するための空間であって、内部に後記する封水深を備える。
封水深は、下水からの臭気や害虫が室内側へ逆流することを防止する効果を備える。
ドレンキャップ（掃除用孔）は、管体の最底面に開口される、水溜部の水抜き用の孔およびそれを封止するキャップ体である。
【０００５】
【特許文献１】特開２００５−１０５７０８号公報
【特許文献２】特開平０８−０９３０２４号公報
【特許文献３】実開平０３−０９９０７８号公報
【特許文献４】実開昭５５−１１０５７７号公報
【発明の開示】
【発明が解決しようとする課題】
【０００６】
従来例のような排水トラップは、以下のような問題点があった。
通常の洗面ボウルにおける問題点として、使用者が誤って指輪等を排水に流してしまう場合がある。このような場合、図１２における従来例であれば、排水管に設置される排水トラップの水溜部に落下するため、排水トラップのドレンキャップ（掃除用孔）を取り外し、排水トラップ内の水溜部内の排水を水抜きしてから、水溜部内の指輪等の異物を取り出していた。
そして、図９乃至図１１における従来例では、排水トラップの箱体が上部及び下部の２分割構成としているため、当該箱体の下部を上部から取り外すことで、排水トラップ内部の異物などを取り外していた。
そうすると、特に従来例のような排水トラップであると、上部と下部の接続がねじ螺合であることから、下部を回転させると、箱体内の水溜部内の排水が、取り外す際の揺動であふれ出してしまう。
特に、下方にキャビネットを備える洗面ボウルであると、一旦キャビネット内に配置されている収納物を取り出し、汚れた排水があふれ出しても構わないようにバケツなどを設置してから排水トラップを取り外し、落下物などの異物の除去を行わなければならない。
また、ドレンキャップや分割構成型ではない排水トラップであれば、配管自体を分解して内部の異物を取り出さなければならないことは言うまでもない。
このような問題から、使用者にとって、排水トラップ内のメンテナンスを行う場合は非常に手間であるばかりか煩わしいばかりであった。
【０００７】
従って、本発明の排水トラップは、以下の課題を解決するために発明された。
１．使用者がメンテナンスなどを行う際、簡単に脱着できること。
２．メンテナンスを行う際、水溜部内の汚れた汚水が、キャビネット内に漏水しないこと。
３．狭いキャビネット内にバケツ等設置して作業を行わなくてもよいこと。
【課題を解決するための手段】
【０００８】
請求項１に記載の本発明は、排水が流入する流入口１と、排水が流出する流出口２と、流入口１と流出口２を備えた箱体３と、流入口１から箱体３内の適宜高さまで垂下される下限壁９と、箱体３の底面から適宜高さに構成された流出口２までの高さの上限壁１０と、箱体３内の底面から上限壁１０下端までの高さ位置に貯水される水溜部１１と、から構成される排水トラップにおいて、前記箱体３を、上部４及び下部５の２分割構成とするとともに、前記水溜部１１中に配置されるよう体積空間部６を箱体３の上部４に構成したことを特徴とする排水トラップである。
【０００９】
請求項２に記載の本発明は、前記体積空間部６を、箱体３の上部４に垂下される凹部７から構成したことを特徴とする前記段落０００８に記載の排水トラップである。
【００１０】
請求項３に記載の本発明は、前記体積空間部６を、箱体３の上部４から吊り下げられて構成される、金属製の重り８から構成したことを特徴とする前記段落０００８に記載の排水トラップである。
【００１１】
請求項４に記載の本発明は、前記箱体３の上部４に流出口２を構成したことを特徴とする前記段落０００８乃至段落００１０のいずれか一つに記載の排水トラップである。
【００１２】
請求項５に記載の本発明は、前記箱体３の上部４と下部５の接続をねじ螺合による接続としたことを特徴する前記段落０００８乃至段落００１１のいずれか一つに記載の排水トラップである。
【００１３】
請求項６に記載の本発明は、前記箱体３の上部４と下部５の接続をクイックファスナー１５による接続としたことを特徴する前記段落０００８乃至段落００１１のいずれか一つに記載の排水トラップである。
【発明の効果】
【００１４】
本発明の排水トラップは、以下の効果を奏する。
請求項１に記載の本発明は、箱体３を、上部４及び下部５の２分割構成とするとともに、水溜部１１中に配置されるよう体積空間部６を箱体３の上部４に構成したことから、見かけ上、水溜部１１内の排水が満水となり、箱体３の下部５を取り外す際は、体積空間部６分の体積分水溜部１１の排水が減少するので、水溜部１１内の排水を外部にこぼれ落とすことがない。
請求項２に記載の本発明は、体積空間部６を、箱体３の上部４に垂下される凹部７から構成したことから、見かけ上、水溜部１１内の排水が満水となり、箱体３の下部５を取り外す際は、体積空間部６分の体積分水溜部１１の排水が減少するので、水溜部１１内の排水を外部にこぼれ落とすことがない。
請求項３に記載の本発明は、前記体積空間部６を、箱体３の上部４から吊り下げられて構成される、金属製の重り８から構成したことから、見かけ上、水溜部１１内の排水が満水となり、箱体３の下部５を取り外す際は、体積空間部６分の体積分水溜部１１の排水が減少するので、水溜部１１内の排水を外部にこぼれ落とすことがない。
請求項４に記載の本発明は、箱体３の上部４に流出口２を構成したことから、箱体３の下部５全体を水溜部１１とすることができる。
請求項５に記載の本発明は、箱体３の上部４と下部５の接続をねじ螺合による接続としたことから、箱体３の上部４及び下部５を簡単に接続することが出来る。
請求項６に記載の本発明は、箱体３の上部４と下部５の接続をクイックファスナーによる接続としたことから、箱体３の上部４及び下部５を簡単に接続することが出来る。
【実施例】
【００１５】
以下に本発明の第１実施例を、図面を参照しつつ説明する。
図１乃至図３に図示した本実施例の排水トラップは、以下に記載する洗面ボウル１６に取り付けられる。
洗面ボウル１６は、図１に示すように底部に排水用の排水口１８を開口する槽体であって、排水口１８には排水管１９や下記に記載する排水トラップを接続し、最終的には下水管まで配管される排水設備である。
また、洗面ボウル１６の下方には、キャビネット部１７と呼ばれる、扉のついた箱体が構成されることが多く、当該キャビネット内に、洗剤や掃除道具などを内部に収容する構成となっている。
図１乃至図３に図示した本実施例の排水トラップは、以下に記載した箱体３と、流入口１と、流出口２と、下限壁９と、上限壁１０と、水溜部１１と、封水深１２と、通水部１３と、体積空間部６と、から構成され、前記した洗面ボウル１６に取り付けられる。
箱体３は、自身に流入口１、流出口２、下限壁９、上限壁１０、水溜部１１、封水深１２、通水部１３、体積空間部６、を備える箱状の部材であって、当該実施例では上部４と下部５の２分割により構成される。そして、上部４及び下部５の接続は、ねじ１４による螺合で接続される。
流入口１は、前記箱体３の上部４に開口される、上記洗面ボウル１６内の排水を箱体３内に流入させるための開口である。
流出口２は、箱体３内の排水を箱体３外へ排出させる開口であって、箱体３の上部４に構成され、箱体３の側壁に、側面方向に突出するように構成される。また、当該流出口２は排水管１９に接続されて、排水管１９が最終的には下水管へと接続される為、箱体３内の排水は最終的には下水管へと排出される。
下限壁９は、前記流入口１から下方へ垂下して構成される筒状部材である。
上限壁１０は、箱体３の底面から流出口２までの高さ方向の箱体３の側面壁を指す。また、当該実施例では、箱体３の下部５全ての側壁が上限壁１０となる。
水溜部１１は、箱体３内に位置する排水を一時的に貯水するための空間であって、内部に後記する封水深１２、通水部１３を備える。当該実施例では、箱体３の下部５内に貯水される排水が水溜部１１として構成される。
封水深１２は、前記下限壁９の下端から上限壁１０の下端までの高さ方向の貯水空間であって、当該封水深１２が存在することで、下水からの臭気や害虫が室内側へ逆流することを防止する効果を備える。
通水部１３は、前記下限壁９から箱体３の底面までの高さ方向の隙間を指し、当該通水空間により、流入口１から流入してきた排水が通水空間を通過して流出口２方向へ通過することができる。
体積空間部６は、箱体３の上部４に構成され、箱体３の上部４を一部分下方に凹ませて構成する凹部７から構成する。尚、体積空間部６は、上部４と下部５が接続されているときは、その下端付近の一部が水溜部１１内に配置されて構成される。当該実施例での凹部７は、内部が中空となっている。尚、体積空間部６は、体積空間部６が水溜部１１内に配置される際に、見かけ上、水溜部１１内の排水貯水量が満水となる程度の体積を備える。
【００１６】
このように構成された排水トラップは、以下のような排水の流れとなる。
洗面ボウル１６に排水が発生すると、洗面ボウル１６の排水口１８から排水が洗面ボウル１６外へ排出される。その後、排水口１８からの排水は、排水トラップの流入口１を通過し、排水トラップの箱体３内へ流入する。そして、箱体３内の下限壁９を通過し、水溜部１１、封水深１２を通過して下限壁９下の通水部１３を通過して、上限壁１０へと到達する。そして、上限壁１０を通過した排水は流出口２から箱体３外へ排出される。そして、流出口２から排出された排水は、流出口２から排水管１９へ排水され、そして下水管へと排出される。
【００１７】
当該実施例の排水トラップ内の清掃やメンテナンスを行う際は、以下のような作用となる。  洗面ボウル１６下のキャビネット部１７に入り込み、排水トラップの箱体３の下部５を回転させてねじ螺合を解除させる。そうすると、図３に示したように箱体３の下部５が上部４から取り外せるので、水溜部１１内のメンテナンスを行うことができる。
また、箱体３の下部５を取り外す際、箱体３の下部５を下方に下げると、上部４に構成された体積空間部６が、水溜部１１から脱する形となる。そうすると、水溜部１１から見かけ体積分体積空間部６が脱するので、その空間体積分、水溜部１１内の排水が減少することとなる。このように水溜部１１内の排水が見かけ上減少することで、箱体３の下部５を取り外す際に、水溜部１１から排水があふれ出すことが無くなる。
【００１８】
以下に本発明の第２実施例を、図面を参照しつつ説明する。
図４乃至図６に図示した本実施例の排水トラップは、以下に記載する洗面ボウル１６に取り付けられる。
洗面ボウル１６は、図４に示すように底部に排水用の排水口１８を開口する槽体であって、排水口１８には排水管１９や下記に記載する排水トラップを接続し、最終的には下水管まで配管される排水設備である。
また、洗面ボウル１６の下方には、キャビネット部１７と呼ばれる、扉のついた箱体が構成されることが多く、当該キャビネット内に、洗剤や掃除道具などを内部に収容する構成となっている。
図４乃至図６に図示した本実施例の排水トラップは、以下に記載した箱体３と、流入口１と、流出口２と、下限壁９と、上限壁１０と、水溜部１１と、封水深１２と、通水部１３と、体積空間部６と、から構成され、前記した洗面ボウル１６に取り付けられる。
箱体３は、自身に流入口１、流出口２、下限壁９、上限壁１０、水溜部１１、封水深１２、通水部１３、体積空間部６、を備える箱状の部材であって、当該実施例では上部４と下部５の２分割により構成される。そして、上部４及び下部５の接続は、クイックファスナー１５による螺合で接続される。
流入口１は、前記箱体３の上部４に開口される、上記洗面ボウル１６内の排水を箱体３内に流入させるための開口である。
流出口２は、箱体３内の排水を箱体３外へ排出させる開口であって、箱体３の上部４に構成され、箱体３の側壁に、側面方向に突出するように構成される。また、当該流出口２は排水管１９に接続されて、排水管１９が最終的には下水管へと接続される為、箱体３内の排水は最終的には下水管へと排出される。
下限壁９は、前記流入口１から下方へ垂下して構成される筒状部材である。
上限壁１０は、箱体３の底面から流出口２までの高さ方向の箱体３の側面壁を指す。また、当該実施例では、箱体３の下部５全ての側壁が上限壁１０となる。
水溜部１１は、箱体３内に位置する排水を一時的に貯水するための空間であって、内部に後記する封水深１２、通水部１３を備える。当該実施例では、箱体３の下部５内に貯水される排水が水溜部１１として構成される。
封水深１２は、前記下限壁９の下端から上限壁１０の下端までの高さ方向の貯水空間であって、当該封水深１２が存在することで、下水からの臭気や害虫が室内側へ逆流することを防止する効果を備える。
通水部１３は、前記下限壁９から箱体３の底面までの高さ方向の隙間を指し、当該通水空間により、流入口１から流入してきた排水が通水空間を通過して流出口２方向へ通過することができる。
体積空間部６は、箱体３の上部４に構成され、箱体３の上部４に鎖などの接続部材により接続された金属製の重り８から構成される。尚、体積空間部６は、上部４と下部５が接続されているときは、その金属製の重り８が水溜部１１内に配置されて構成される。尚、体積空間部６は、体積空間部６が水溜部１１内に配置される際に、見かけ上、水溜部１１内の排水貯水量が満水となる程度の体積を備える。
【００１９】
このように構成された排水トラップは、以下のような排水の流れとなる。
洗面ボウル１６に排水が発生すると、洗面ボウル１６の排水口１８から排水が洗面ボウル１６外へ排出される。その後、排水口１８からの排水は、排水トラップの流入口１を通過し、排水トラップの箱体３内へ流入する。そして、箱体３内の下限壁９を通過し、水溜部１１、封水深１２を通過して下限壁９下の通水部１３を通過して、上限壁１０へと到達する。そして、上限壁１０を通過した排水は流出口２から箱体３外へ排出される。そして、流出口２から排出された排水は、流出口２から排水管１９へ排水され、そして下水管へと排出される。
【００２０】
当該実施例の排水トラップ内の清掃やメンテナンスを行う際は、以下のような作用となる。  洗面ボウル１６下のキャビネット部１７に入り込み、排水トラップの箱体３のクイックファスナー１５を取り外す。そうすると、図６に示したように箱体３の下部５が上部４から取り外せるので、水溜部１１内のメンテナンスを行うことができる。
また、箱体３の下部５を取り外す際、箱体３の下部５を下方に下げると、上部４に構成された体積空間部６が、水溜部１１から脱する形となる。そうすると、水溜部１１から見かけ体積分体積空間部６が脱するので、その空間体積分、水溜部１１内の排水が減少することとなる。このように水溜部１１内の排水が見かけ上減少することで、箱体３の下部５を取り外す際に、水溜部１１から排水があふれ出すことが無くなる。
【００２１】
また、本発明の実施例は上記に記載した実施例のほかにも、特許請求の範囲を逸脱しない範囲で適宜変更は可能である。
例えば、図７及び図８に示したような、防臭パイプと呼ばれる脱着自在の下限壁９を用いた排水トラップに、体積空間部６を構成しても構わない。尚、このとき、箱体３上部に体積空間部６を構成しても構わないし、図７及び図８に示したように防臭パイプ（下限壁９）に体積空間部６を構成しても構わない。尚、防臭パイプ（下限壁９）に体積空間部６を構成した場合は、防臭パイプ（下限壁９）を予め取り外してから箱体３の下部を取り外してもよい。
【図面の簡単な説明】
【００２２】
【図１】本発明の第１実施例の施工状態を示す断面図である。
【図２】本発明の第１実施例を示す断面図である。
【図３】本発明の第１実施例の、箱体下部を取り外したときを示す断面図である。
【図４】本発明の第２実施例の施工状態を示す断面図である。
【図５】本発明の第２実施例を示す断面図である。
【図６】本発明の第２実施例の、箱体下部を取り外したときを示す断面図である。
【図７】本発明のその他の実施例を示す断面図である。
【図８】本発明のその他の実施例の、箱体下部を取り外したときを示す断面図である。
【図９】従来例を示す断面図である。
【図１０】従来例を示す断面図である。
【図１１】従来例を示す断面図である。
【図１２】従来例を示す断面図である。
【符号の説明】
【００２３】
１    流入口
２    流出口
３    箱体
４    上部
５    下部
６    体積空間部
７    凹部
８    重り
９    下限壁
１０  上限壁
１１  水溜部
１２  封水深
１３  通水部
１４  ねじ
１５  クイックファスナー
１６  洗面ボウル
１７  キャビネット部
１８  排水口
１９  排水管
【図１】
2007327247.tif 000003
【図２】
2007327247.tif 000004
【図３】
2007327247.tif 000005
【図４】
2007327247.tif 000006
【図５】
2007327247.tif 000007
【図６】
2007327247.tif 000008
【図７】
2007327247.tif 000009
【図８】
2007327247.tif 000010
【図９】
2007327247.tif 000011
【図１０】
2007327247.tif 000012
【図１１】
2007327247.tif 000013
【図１２】
2007327247.tif 000014